(57)【要約】      （修正有）【課題】バネ板により排水口に固定したキャップ本体が排水口から抜け出る問題を防止することができるドレンキャップを提供する。【解決手段】フロアの排水口を通水可能に塞ぐキャップ本体２１と、該キャップ本体２１に平面的に見て直線平板の形状で取付られ、排水口に対してキャップ本体２１を保持するように、先端が排水口の長手方向に撓んで弾撥力により排水口の内周面へ付勢されるバネ板７と、該バネ板７の先端部に装着されて該先端部を包囲し、且つバネ板７の付勢に伴って排水口の内周面に圧接され、排水口の内周面に対する滑りを防止する樹脂の滑り防止体２１とを備える。【選択図】図１
0003164857.tif 000002
【実用新案登録請求の範囲】
【請求項１】
フロアの排水口を通水可能に塞ぐキャップ本体と、
該キャップ本体に平面的に見て直線平板の形状で取付られ、排水口に対してキャップ本体を保持するように、先端が排水口の長手方向に撓んで弾撥力により排水口の内周面へ付勢されるバネ板と、
該バネ板の先端部に装着されて該先端部を包囲し、且つバネ板の付勢に伴って排水口の内周面に圧接され、排水口の内周面に対する滑りを防止する樹脂の滑り防止体とを備えたことを特徴とするドレンキャップ。
【請求項２】
前記滑り防止体は合成樹脂により形成されている請求項１に記載のドレンキャップ。
【請求項３】
前記滑り防止体は、前記バネ板と同一の形状に構成した成形金型を液状樹脂にディッピングしゲル化させることにより所要厚さの樹脂成形体を形成し、該樹脂成形体を成形金型から取り外すことにより製造される請求項１又は２に記載のドレンキャップ。
【請求項４】
前記滑り防止体は接着剤によりバネ板に固定している請求項１〜３のいずれか１つに記載のドレンキャップ。
【請求項５】
前記材バネ板の先端部に前記滑り防止体を装着し、更に、前記バネ板の外周面に、前記滑り防止体の一部に重なるように熱収縮チューブを装着し、加熱により前記熱収縮チューブを収縮させて前記滑り防止体をバネ板に固定している請求項１〜４のいずれか１つに記
【考案の詳細な説明】
【技術分野】
【０００１】
本考案は、建築物の排水口に装着されるドレンキャップに関するものである。
【背景技術】
【０００２】
ビルやマンション等の建築物の屋上や各階のベランダには、雨水を排水し得るよう排水口が設けられているのが一般的であり、この種の排水口には、雨水に随伴される落ち葉や小枝或いは紙、ビニール等といった固形物の侵入防止、並びに排水口が剥き出しになることによる危険性の回避、美観の保持等といった観点からドレンキャップが装着されている。
【０００３】
図１１〜図１３は従来における屋上に設けられるドレンキャップの一例を示すもので、１はドレンキャップを構成するキャップ本体であり、このキャップ本体１はフロア２の排水口３の上部外側に設置するためのフランジ部４と、該フランジ部４から上方に突出して排水口３を通水可能に塞ぐ上方突部５とから構成されており、このキャップ本体１の内部には、上端が上方突部５の内部中心位置に固定されて下方に所要長さで延設したロッド材６が固定されており、該ロッド材６の下端部には、十文字に交差されたバネ鋼材からなる２枚の細長いバネ板７の中間部（交差部分）がビス止めされている。尚、図１１中における８はキャップ本体１に形成された雨水を導き入れるための取水口を示している。
【０００４】
他方、フロア２を形成するためのモルタルやセメント、樹脂等といった流動性硬化材９の打設時に当該フロア２の排水口３の位置にドレン本体１０が一緒に埋め込まれており、図１３に示すように、前記各バネ板７の両端部を下方向きに撓ませて排水口３内に挿入した際に、前記各バネ板７が弾撥力によりドレン本体１０の内周面に圧接することでキャップ本体１が排水口３に固定されるようになっている。
【０００５】
一方、図１４、図１５に示すように、フロア２と壁１１との間に傾斜部１２が形成されていて該傾斜部１２の下端部に横方向に伸びる排水口３'が形成されている場合があり、この場合には、排水口３'を閉塞するためのコーナ部用のドレンキャップを設けている。このコーナ部用のドレンキャップは、フロア側キャップ部１４と壁側キャップ部１５がヒンジ部１３によりａ方向に折曲げ可能に接続されたキャップ本体１６を備えている。フロア側キャップ部１４と壁側キャップ部１５には取水口８が形成されている。更に、壁側キャップ部１５の前記ヒンジ部１３に近い側の下面には固定ブロック１７が設けてあり、該固定ブロック１７には支点ピン１８を中心に上下方向（ｂ方向）に回動可能な回動駒１９が設けてあり、１枚の細長いバネ板７の中間部が回動駒１９にビス止めされている。
【０００６】
前記キャップ本体１６は、バネ板７の両端部を互いに近付けるように撓ませて排水口３'内に挿入し、フロア側キャップ部１４をフロア２上に設置し、壁側キャップ部１５を排水口３'を閉塞するように傾斜部１２上に設置する。この時、前記バネ板７が水平状態になるようにネジ２０によって支点ピン１８に対する回動駒１９の位置を固定する。これにより、バネ板７の先端が排水口３'の上下方向中間の内周面に弾撥力によって圧接されることによりキャップ本体１６を排水口３'に固定するようになっている。
【０００７】
前記図１１〜図１３に示したドレンキャップに関連する先行技術文献情報としては、本考案と同じ出願人による特許文献１等がある。
【特許文献１】特開２００６−４５８８１号公報
【考案の開示】
【考案が解決しようとする課題】
【０００８】
しかしながら、図１１〜図１３、及び図１４、図１５に示した従来のドレンキャップにおいては、バネ鋼材からなるバネ板７を撓ませて排水口３，３'内に挿入してバネ板７の弾撥力によって排水口３，３'の内周面に圧接することでキャップ本体１，１６を排水口３，３'に固定しているが、バネ板７はバネ鋼材による硬い材料で構成されており、且つバネ板７の先端部は排水口３，３'内周面に点又は線で接触していて滑り易いため、バネ板７によるキャップ本体１，１６の固定強度が低く、そのために、上方突部５に風の力が作用したり、或いは風によって飛ばされた物が上方突部５に衝突したり、更には振動が作用する等の外力によって、図１６に示す如くキャップ本体１が排水口３から抜き出されて脱落してしまう可能性を有していた。又、図１４、図１５に示したキャップ本体１６の場合にも、外力の作用によってキャップ本体１６が排水口３'から抜き出されて脱落してしまう可能性を有していた。
【０００９】
本考案は上述の実情に鑑みてなしたもので、バネ板により排水口に固定したキャップ本体が排水口から抜け出る問題を防止するようにしたドレンキャップを提供することを目的としている。
【課題を解決するための手段】
【００１０】
本考案は、フロアの排水口を通水可能に塞ぐキャップ本体と、
該キャップ本体に平面的に見て直線平板の形状で取付られ、排水口に対してキャップ本体を保持するように、先端が排水口の長手方向に撓んで弾撥力により排水口の内周面へ付勢されるバネ板と、
該バネ板の先端部に装着されて該先端部を包囲し、且つバネ板の付勢に伴って排水口の内周面に圧接され、排水口の内周面に対する滑りを防止する樹脂の滑り防止体とを備えたことを特徴とするドレンキャップ、に係るものである。
【００１１】
上記ドレンキャップにおいて、前記滑り防止体は合成樹脂により形成されていることが好ましい。
【００１２】
又、上記ドレンキャップにおいて、前記滑り防止体は、前記バネ板と同一の形状に構成した成形金型を液状樹脂にディッピングしゲル化させることにより所要厚さの樹脂成形体を形成し、該樹脂成形体を成形金型から取り外すことにより製造することは好ましい。
【００１３】
上記ドレンキャップにおいて、前記滑り防止体は接着剤によりバネ板に固定することが好ましい。
【００１４】
上記ドレンキャップにおいて、前記材バネ板の先端部に前記滑り防止体を装着し、更に、前記バネ板の外周面に、前記滑り防止体の一部に重なるように熱収縮チューブを装着し、加熱により前記熱収縮チューブを収縮させて前記滑り防止体をバネ板に固定することは好ましい。
【００１５】
而して、上記ドレンキャップにおいては、キャップ本体に固定したバネ板の先端部に該先端部を包囲する滑り防止体を装着したので、バネ板を先端部が近付くように撓ませて排水口内に挿入すると、バネ板の先端部に装着した滑り防止体が排水口の内周面に圧接される。この時、滑り防止体は摩擦力によって排水口の内周面に対して滑る問題が防止されるので、キャップ本体は排水口に確実に固定されるようになり、よって、キャップ本体に外力が作用してもキャップ本体が排水口から抜き出る問題を防止することができる。
【００１６】
前記滑り防止体を、バネ板と同一の形状に構成した成形金型を液状樹脂にディッピングしゲル化させることにより所要厚さの樹脂成形体を形成し、該樹脂成形体を成形金型から取り外すことによって製造すると、バネ板を加熱によって変質させることなく、バネ板の先端部に密に装着可能な滑り防止体を安価に製造することができる。
【００１７】
又、前記滑り防止体を接着剤によりバネ板に固定すると、バネ板に対する滑り防止体の取付強度を高めることができる。
【００１８】
又、前記材バネ板の先端部に前記滑り防止体を装着し、更に、前記バネ板の外周面に、前記滑り防止体の一部に重なるように熱収縮性チューブを装着し、加熱により熱収縮性チューブを収縮させて前記滑り防止体をバネ板に固定すると、バネ板に対する滑り防止体の取付強度を更に高めることができる。
【考案の効果】
【００１９】
本考案のドレンキャップによれば、キャップ本体に固定したバネ板の先端部に該先端部を包囲する滑り防止体を装着したので、バネ板を先端部が近付くように撓ませて排水口内に挿入すると、バネ板の先端部に装着した滑り防止体が排水口の内周面に圧接され、この時、滑り防止体はその摩擦力によって排水口の内周面に対して滑る問題を防止できるので、キャップ本体が排水口に確実に固定されるようになり、よって、キャップ本体に外力が作用してもキャップ本体が排水口から抜き出る問題を防止できるという優れた効果を奏し得る。
【考案を実施するための最良の形態】
【００２０】
以下本考案の実施の形態を図面を参照しつつ説明する。
【００２１】
図１は前記図１０に示したドレンキャップに適用した本考案を実施する形態の一例を示すもので、図１０のドレンキャップを下方から見た底面図である。
【００２２】
図１に示すようにキャップ本体１に十文字に固定されたバネ板７の各先端部（４箇所）に対し、図２、図３に示すようにバネ板７の先端部を覆うよう予め袋状に形成された滑り防止体２１の開口２１ａを差し込むことにより装着する。上記滑り防止体２１は、塩化ビニル樹脂、アクリル樹脂、ポリエステル樹脂、ポリウレタン樹脂等の成形が容易で且つ耐久性を有する合成樹脂によって製造することができる。
【００２３】
また、前記滑り防止体２１は、図３に示す如くバネ板７の先端部に接着剤２２により接着することが好ましく、このように接着剤２２を用いると滑り防止体２１をバネ板７に対して確実に固定することができる。
【００２４】
図４〜図６は、前記滑り防止体２１を製造するための装置と製造方法の一例を示している。図４では横方向に延設されたレール３２に、該レール３２沿って移動が可能な移動台２３と、該移動台２３の下側に昇降装置２４を介して昇降可能に備えた昇降台２５と、前記バネ板７と同一形状に形成されて前記昇降台２５の下面に複数吊り下げ固定された成形金型２６とからなる成形金型装置２７を備えている。ここで、成形金型２６は図４の紙面と直交する方向にも複数備えている。
【００２５】
前記レール３２に沿う位置には、成形金型装置２７を収容して成形金型２６を所定の加熱温度に加熱するための開閉可能な炉蓋３３ａを備えた加熱炉３３（加熱操作部Ｉ）と、約３０℃〜８０℃の温度に調整された塩化ビニル樹脂、アクリル樹脂、ポリエステル樹脂、ポリウレタン樹脂等の液状樹脂３４を収容する液状樹脂槽３５（ディッピング部ＩＩ）と、製造された滑り防止体２１を受ける製品容器３６（脱型部ＩＩＩ）を設けている。
【００２６】
液状樹脂槽３５に収容する液状樹脂３４としては、塩化ビニル樹脂、アクリル樹脂、ポリエステル樹脂、ポリウレタン樹脂等の樹脂粒子をゾル化し、ディッピングにより成形金型２６に付着させてゲル化させことで滑り防止体２１を形成できるものであれば種々の合成樹脂を用いることができる。前記液状樹脂３４は、図７（ａ）に示すように、粒子状の樹脂粒子Ｐに、可塑剤、安定化剤、充填材、着色剤等の添加剤Ｔを用途に応じて混合してなるプラスチックゾルである。液状樹脂槽２８に収容された液状樹脂２７を約３０℃〜８０℃の温度に調整する加熱装置としては電気式或いは熱水等の流体を用いる等の種々の方式を採用することができる。
【００２７】
前記滑り防止体２１を製造するには、先ず、成形金型装置２７の成形金型２６を加熱操作部Ｉの加熱炉３３に装入して液状樹脂３４のゾル化に適した温度になるように成形金型２６を加熱する。例えば塩ビ樹脂粒子を用いた液状樹脂３４の場合には例えば約２８０℃に加熱するようにしている。続いて、加熱した成形金型２６をディッピング部ＩＩの液状樹脂槽３５に移動し、成形金型２６を液状樹脂３４に対して設定深さまで没入させ、例えば約３０秒間のディッピングを行う。このディッピングにより成形金型２６の先端部には図７（ｂ）に示すように半ゲル化した樹脂粒子Ｐ'が層状に付着する。即ち、図７（ａ）の樹脂粒子Ｐは動き易い状態にあるが、加熱された成形金型２６の没入により樹脂粒子Ｐが加熱されると、図７（ｂ）に示すように樹脂粒子は半ゲル化したゲル化粒子Ｐ'となる。このゲル化粒子Ｐ'は芯があるが外面部は可塑剤を吸収して膨潤した半溶融状態となっており、粒子間の絡み合いが高まって動き難くなった状態で成形金型２６の先端部に付着する。成形金型２６を液状樹脂４７に没入させた状態のディッピング時間を長く保持すると、成形金型２６の先端部に付着される樹脂層の厚さは増加する。
【００２８】
次に、図５に示すように所要厚さの樹脂層２８が形成された成形金型２６は液状樹脂槽３５から取出して加熱操作部Ｉの加熱炉３３に移動し、塩ビ樹脂の場合には約２８０℃の温度で例えば約２０秒間の加熱（焼入れ）を行う。成形金型２６の樹脂層２８は、加熱炉３３での加熱によって図７（ｃ）に示すように樹脂粒子全体が芯まで溶融し、分子同士の絡み合いが強化されて物理強度が発現した樹脂成形体２９となる。
【００２９】
樹脂成形体２９が形成されると、樹脂成形体２９を有する成形金型２６は図示しない水槽、或いは冷却水シャワー等による冷却手段によって冷却した後、図４の製品容器３６（脱型部ＩＩＩ）に移動し、図６に示すように、成形金型２６と樹脂成形体２９との境界部に空気ノズル３０から高圧空気を供給しながら、樹脂成形体２９を成形金型２６から抜き取ることにより図４の製品容器３６に収容させ、これによって図２の滑り防止体２１が製造される。
【００３０】
又、図４〜図６に示した装置を用いて滑り防止体２１を製造することに代えて、前記バネ板７の先端部に直接ディッピングによって滑り防止体２１を形成することも考えられる。この場合には、前記バネ板７を例えば約２８０℃での加熱、プライマー塗布、脱脂等を行った後にディッピングを行う。
【００３１】
しかし、この方法では、バネ板７を例えば約２８０℃の温度まで加熱するために、バネ板７が変色したり変質し、バネ板７の弾撥力が低下したり、錆が発生し易くなる等の問題が生じる。しかも、多数のバネ板７の先端部にディッピングによって直接滑り防止体２１を形成する作業は操作が非常に繁雑で生産性を高めることが難しいという問題がある。
【００３２】
これに対し、図４〜図６に示した滑り防止体の製造装置によれば、多数の成形金型２６を備えた成形金型装置２７を用いて滑り防止体２１を製造するようにしたので、バネ板７を加熱によって変色させたり変質させることなく、バネ板７の先端部に密着状態に装着できる滑り防止体２１を大量に安価に製造することができる。
【００３３】
以下に、上記形態の作用を説明する。
【００３４】
図１のキャップ本体１に十文字に固定されているバネ板７の各先端部（４箇所）に、図２、図３に示すように予め袋状に形成された滑り防止体２１の開口２１ａを差し込むようにして装着する。この時、図３に示す如く、バネ板７の先端部に対し接着剤２２を介して滑り防止体２１を装着することにより、バネ板７に対して滑り防止体２１を確実に固定することができる。
【００３５】
キャップ本体１に固定したバネ板７を、前記図１３に示したように先端部が互いに接近するように撓ませて排水口３内に挿入すると、バネ板７の弾撥力によってバネ板７の先端部が排水口３の内周面に圧接されて、キャップ本体１は排水口３に保持される。
【００３６】
この時、図８に示すように、バネ板７の先端部には滑り防止体２１を装着しているので、該滑り防止体２１によってバネ板７の先端部が面接触の状態で排水口３の内周面に圧接される。この時、滑り防止体２１は、塩化ビニル樹脂、アクリル樹脂、ポリエステル樹脂、ポリウレタン樹脂等にて成形されているため、それ自身の摩擦力により排水口３の内周面に対して滑る問題が防止されるので、キャップ本体１は排水口３に対して確実に固定されるようになる。
【００３７】
従って、排水口３に設置したキャップ本体１に風力や衝突物、或いは振動等の外力が作用してもキャップ本体１が排水口３から抜き出る問題を防止することができる。
【００３８】
図９（ａ），（ｂ）、図１０は本考案を実施する他の形態を示したものであり、図１に示したようにバネ板７の各先端部に前記滑り防止体２１を装着した構成において、図９に示すようにバネ板７の外周面に、前記滑り防止体２１の一部に重なるように熱収縮性チューブ３１を装着する。そして、上記熱収縮性チューブ３１を外部から加熱すると、熱収縮性チューブ３１が図１０に示すように収縮し、熱収縮性チューブ３１によって前記滑り防止体２１はバネ板７に強く固定されるようになる。これにより、バネ板７に対する滑り防止体２１の取付強度が更に高められる。尚、図９（ａ），（ｂ）、図１０の形態においては、前記滑り防止体２１を予め図３に示すように接着剤２２によってバネ板７の先端部に接着しておくようにしてもよく、又、接着剤２２を用いることなしにバネ板７の先端部に滑り防止体２１を装着した後、熱収縮性チューブ３１を設けて滑り防止体２１を固定するようにしてもよい。
【００３９】
尚、上記形態例においては、図１１のキャップ本体１のバネ板７に適用した場合について例示したが、図１４のキャップ本体１６のバネ板７に対しても同様に適用することができる。又、図示したドレンキャップ以外の種々の形状のドレンキャップに対しても適用できること、その他、本考案の要旨を逸脱しない範囲内において種々変更を加え得ることは勿論である。
【図面の簡単な説明】
【００４０】
【図１】図１０のドレンキャップに適用した本考案を実施する形態の一例を示す底面図である。
【図２】本考案が備えた滑り防止体の斜視図である。
【図３】滑り防止体をバネ板の先端に装着した状態を示す切断側面図である。
【図４】滑り防止体の製造装置の一例を示す概略図である。
【図５】成形金型に樹脂層が形成された状態を示す正面図である。
【図６】図５の樹脂成形体を成形金型から取り外して滑り防止体を得る状態を示す正面図である。
【図７】（ａ）はプラスチックゾルである液状樹脂の樹脂粒子の状態を示す説明図、（ｂ）は樹脂粒子が半ゲル化したゲル化粒子の状態を示す説明図、（ｃ）は樹脂粒子全体が芯まで溶融し分子同士の絡み合いが強化されて物理強度が発現した状態を示す説明図である。
【図８】バネ板の先端部に装着した滑り防止体が排水口の内周面に圧接される状態を示す断面図である。
【図９】本考案を実施する他の形態を示したもので、（ａ）はバネ板を側方から見た側面図、（ｂ）は（ａ）をＢ−Ｂ方向から見た矢視図である。
【図１０】熱収縮性チューブが加熱により収縮されて、滑り防止体がバネ板に強く固定された状態を示す側面図である。
【図１１】従来のドレンキャップを構成するキャップ本体の一例を示す斜視図である。
【図１２】図１１のキャップ本体を側方から見た一部切断側面図である。
【図１３】図１１のキャップ本体を排水口に設置した状態を示す切断側面図である。
【図１４】従来のドレンキャップを構成するキャップ本体の他の例を示す側面図である。
【図１５】図１４のキャップ本体の斜視図である。
【図１６】排水口に設置したキャップ本体が、外力の作用によって排水口から抜き出されて脱落する状態を示す切断側面図である。
【符号の説明】
【００４１】
１  キャップ本体
２  フロア
３  排水口
３'        排水口
７  バネ板
１６  キャップ本体
２１  滑り防止体
２２  接着剤
２６  成形金型
２９  樹脂成形体
３１  熱収縮性チューブ
３４  液状樹脂
【図１】
0003164857.tif 000003
【図２】
0003164857.tif 000004
【図３】
0003164857.tif 000005
【図４】
0003164857.tif 000006
【図５】
0003164857.tif 000007
【図６】
0003164857.tif 000008
【図７】
0003164857.tif 000009
【図８】
0003164857.tif 000010
【図９】
0003164857.tif 000011
【図１０】
0003164857.tif 000012
【図１１】
0003164857.tif 000013
【図１２】
0003164857.tif 000014
【図１３】
0003164857.tif 000015
【図１４】
0003164857.tif 000016
【図１５】
0003164857.tif 000017
【図１６】
0003164857.tif 000018
【手続補正書】
【提出日】平成22年10月19日(2010.10.19)
【手続補正１】
【補正対象書類名】実用新案登録請求の範囲
【補正対象項目名】全文
【補正方法】変更
【補正の内容】
【実用新案登録請求の範囲】
【請求項１】
フロアの排水口を通水可能に塞ぐキャップ本体と、
該キャップ本体に平面的に見て直線平板の形状で取付られ、排水口に対してキャップ本体を保持するように、先端が排水口の長手方向に撓んで弾撥力により排水口の内周面へ付勢されるバネ板と、
該バネ板の先端部に装着されて該先端部を包囲し、且つバネ板の付勢に伴って排水口の内周面に圧接され、排水口の内周面に対する滑りを防止する樹脂の滑り防止体とを備えたことを特徴とするドレンキャップ。
【請求項２】
前記滑り防止体は合成樹脂により形成されている請求項１に記載のドレンキャップ。
【請求項３】
前記滑り防止体は、前記バネ板と同一の形状に構成した成形金型を液状樹脂にディッピングしゲル化させることにより所要厚さの樹脂成形体を形成し、該樹脂成形体を成形金型から取り外すことにより製造される請求項１又は２に記載のドレンキャップ。
【請求項４】
前記滑り防止体は接着剤によりバネ板に固定している請求項１〜３のいずれか１つに記載のドレンキャップ。
【請求項５】
前記バネ板の先端部に前記滑り防止体を装着し、更に、前記バネ板の外周面に、前記滑り防止体の一部に重なるように熱収縮チューブを装着し、加熱により前記熱収縮チューブを収縮させて前記滑り防止体をバネ板に固定している請求項１〜４のいずれか１つに記載のドレンキャップ。
【手続補正２】
【補正対象書類名】明細書
【補正対象項目名】００１４
【補正方法】変更
【補正の内容】
【００１４】
上記ドレンキャップにおいて、前記バネ板の先端部に前記滑り防止体を装着し、更に、前記バネ板の外周面に、前記滑り防止体の一部に重なるように熱収縮チューブを装着し、加熱により前記熱収縮チューブを収縮させて前記滑り防止体をバネ板に固定することは好ましい。
【手続補正３】
【補正対象書類名】明細書
【補正対象項目名】００１８
【補正方法】変更
【補正の内容】
【００１８】
又、前記バネ板の先端部に前記滑り防止体を装着し、更に、前記バネ板の外周面に、前記滑り防止体の一部に重なるように熱収縮性チューブを装着し、加熱により熱収縮性チューブを収縮させて前記滑り防止体をバネ板に固定すると、バネ板に対する滑り防止体の取付強度を更に高めることができる。